(57)【要約】【課題】通信の設定を簡易化することができる表示装置を提供すること。【解決手段】表示装置は、情報処理装置から無線ネットワークを介して画像信号を受信する通信部と、通信部による通信を制御する通信制御部と、通信部が受信した画像信号に基づいて画像を表示する表示部と、接続要求を含む情報を光通信によって情報処理装置から受信する光通信部と、通信制御部が通信部に通信を行わせるための通信設定情報を、光通信部による接続要求を含む情報の受信をトリガーとして通信制御部に設定する通信設定制御部と、を備える。【選択図】図２
2016126259.tif 000002
【特許請求の範囲】
【請求項１】
情報処理装置から無線ネットワークを介して画像信号を受信する通信部と、
前記通信部による通信を制御する通信制御部と、
前記通信部が受信した前記画像信号に基づいて画像を表示する表示部と、
接続要求を含む情報を光通信によって前記情報処理装置から受信する光通信部と、
前記通信制御部が前記通信部に通信を行わせるための通信設定情報を、前記光通信部に
よる前記接続要求を含む情報の受信をトリガーとして前記通信制御部に設定する通信設定
制御部と、
を備える表示装置。
【請求項２】
前記通信設定制御部は、前記光通信部による前記接続要求を含む情報の受信をトリガー
として前記通信設定情報を前記情報処理装置へ前記通信部により送信させ、前記通信制御
部に前記情報処理装置との通信を確立させる、
請求項１に記載の表示装置。
【請求項３】
前記通信設定情報を生成する通信設定情報生成部を備え、
前記通信設定制御部は、前記通信設定情報生成部が生成した前記通信設定情報を前記通
信制御部に設定する、
請求項１又は２に記載の表示装置。
【請求項４】
情報処理装置から無線ネットワークを介して画像信号を受信する通信部と、
前記通信部による通信を制御する通信制御部と、
前記通信部が受信した前記画像信号に基づいた画像を、レンズを介して投影面に投影す
るための光を照射する光源と、
前記画像信号に応じて光を変調する光変調器と、
接続要求を含む情報を光通信によって前記情報処理装置から受信する光通信部と、
前記通信制御部が前記通信部に通信を行わせるための通信設定情報を、前記光通信部に
よる前記接続要求を含む情報の受信をトリガーとして前記通信制御部に設定する通信設定
制御部と、
を備えるプロジェクター。
【請求項５】
情報処理装置から無線ネットワークを介して画像信号を通信部により受信し、
前記通信部による通信を通信制御部により制御し、
前記通信部が受信した前記画像信号に基づいて画像を表示し、
接続要求を含む情報を光通信によって前記情報処理装置から光通信を行う光通信部によ
り受信し、
前記通信制御部が前記通信部に通信を行わせるための通信設定情報を、前記光通信部に
よる前記接続要求を含む情報の受信をトリガーとして前記通信制御部に設定する、
表示装置の制御方法。
【発明の詳細な説明】
【技術分野】
【０００１】
この発明は、表示装置、プロジェクター、及び表示装置の制御方法に関する。
【背景技術】
【０００２】
プロジェクターと情報処理装置との通信接続の設定を容易にする技術が研究・開発され
ている。プロジェクターは、アクセスポイント経由で設置場所のローカルエリアネットワ
ークに接続している場合があって、且つ第三者が所有の情報処理装置を一時的にプロジェ
クターに接続したいがローカルエリアネットワークには接続させたくない場合、すなわち
、プロジェクターと情報処理装置を１対１で接続する際に、通信設定を容易にすることが
望まれている。
【０００３】
これに関し、赤外線通信を利用して無線ＬＡＮ（Local  Area  Network）による通信の
設定を行う技術が知られている（特許文献１参照）。また、ＷＰＳ（Wi-Fi  Protected  
Setup）のプッシュボタン方式を利用して無線ＬＡＮによる通信の設定を行うことも良く
知られている。
【先行技術文献】
【特許文献】
【０００４】
【特許文献１】特開２００４−１１８４８８号公報
【発明の概要】
【発明が解決しようとする課題】
【０００５】
しかしながら、従来の赤外線通信を利用した技術では、プロジェクターから無線ＬＡＮ
設定情報が赤外線通信にて情報処理装置に送信されるため、ユーザーがプロジェクターの
メニューを利用するなどして、まず最初にプロジェクターを操作する必要があった。また
、ＷＰＳのプッシュボタン方式の場合もプロジェクターのボタンを押下する必要があった
。しかしながら、プロジェクターが天上に設置されている状況のように、ユーザーの手が
届かないために直接操作ができない場合、従来の赤外線通信を利用した技術やプッシュボ
タン方式を利用して無線ＬＡＮによる通信の設定を行うことが困難であった。
【０００６】
そこで本発明は、上記従来技術の問題に鑑みてなされたものであり、通信の設定を簡易
化することができる表示装置、プロジェクター、及び表示装置の制御方法を提供する。
【課題を解決するための手段】
【０００７】
本発明の一態様は、情報処理装置から無線ネットワークを介して画像信号を受信する通
信部と、前記通信部による通信を制御する通信制御部と、前記通信部が受信した前記画像
信号に基づいて画像を表示する表示部と、接続要求を含む情報を光通信によって前記情報
処理装置から受信する光通信部と、前記通信制御部が前記通信部に通信を行わせるための
通信設定情報を、前記光通信部による前記接続要求を含む情報の受信をトリガーとして前
記通信制御部に設定する通信設定制御部と、を備える表示装置である。
これにより、表示装置をユーザーが操作する必要がなく、通信の設定を簡易化すること
ができる。
【０００８】
また、本発明の他の態様は、表示装置において、前記通信設定制御部は、前記光通信部
による前記接続要求を含む情報の受信をトリガーとして前記通信設定情報を前記情報処理
装置へ前記通信部により送信させ、前記通信制御部に前記情報処理装置との通信を確立さ
せる、構成が用いられてもよい。
これにより、表示装置は、情報処理装置との通信を確立することができる。
【０００９】
また、本発明の他の態様は、表示装置において、前記通信設定情報を生成する通信設定
情報生成部を備え、前記通信設定制御部は、前記通信設定情報生成部が生成した前記通信
設定情報を前記通信制御部に設定する、構成が用いられてもよい。
これにより、表示装置は、意図しない通信設定情報が通信制御部に設定されてしまうこ
とを抑制することができる。
【００１０】
また、本発明の他の態様は、情報処理装置から無線ネットワークを介して画像信号を受
信する通信部と、前記通信部による通信を制御する通信制御部と、前記通信部が受信した
前記画像信号に基づいた画像を、レンズを介して投影面に投影するための光を照射する光
源と、前記画像信号に応じて光を変調する光変調器と、接続要求を含む情報を光通信によ
って前記情報処理装置から受信する光通信部と、前記通信制御部が前記通信部に通信を行
わせるための通信設定情報を、前記光通信部による前記接続要求を含む情報の受信をトリ
ガーとして前記通信制御部に設定する通信設定制御部と、を備えるプロジェクターである
。
これにより、プロジェクターをユーザーが操作する必要がなく、通信の設定を簡易化す
ることができる。
【００１１】
また、本発明の他の態様は、情報処理装置から無線ネットワークを介して画像信号を通
信部により受信し、前記通信部による通信を通信制御部により制御し、前記通信部が受信
した前記画像信号に基づいて画像を表示し、接続要求を含む情報を光通信によって前記情
報処理装置から光通信を行う光通信部により受信し、前記通信制御部が前記通信部に通信
を行わせるための通信設定情報を、前記光通信部による前記接続要求を含む情報の受信を
トリガーとして前記通信制御部に設定する、表示装置の制御方法である。これにより、表
示装置をユーザーが操作する必要がなく、通信の設定を簡易化することができる。
【図面の簡単な説明】
【００１２】
【図１】本実施形態に係るプロジェクター１が使用される様子の一例を模式的に示す図である。
【図２】プロジェクター１と情報処理装置２の機能構成の一例を示す図である。
【図３】プロジェクター１と情報処理装置２が無線ＬＡＮによる通信を確立するまでにプロジェクター１が行う処理の流れの一例を示すフローチャートである。
【図４】プロジェクター１と情報処理装置２が無線ＬＡＮによる通信を確立するまでに情報処理装置２が行う処理の流れの一例を示すフローチャートである。
【図５】プロジェクター１と情報処理装置２が無線ＬＡＮによる通信を確立するまでにプロジェクター１と情報処理装置２の間で行われる処理の流れの一例を示すシーケンス図である。
【発明を実施するための形態】
【００１３】
＜実施形態＞
以下、本発明の実施形態について、図面を参照して説明する。図１は、本実施形態に係
るプロジェクター１が使用される様子の一例を模式的に示す図である。図１に示した例で
は、プロジェクター１は、天井に設置されている。なお、プロジェクター１は、天井に代
えて、他の場所に設置されてもよい。
【００１４】
プロジェクター１は、情報処理装置２から送信される所定の波長帯の光を受信すること
ができ、情報処理装置２と光通信を行う。所定の波長帯の光とは、例えば、赤外線波長帯
の赤外光であるが、これに代えて、可視光波長帯の可視光や紫外線波長帯の紫外光等の他
の波長帯の光であってもよい。以下では、説明の便宜上、所定の波長帯の光によって行わ
れる光通信を、赤外光通信と称して説明する。
【００１５】
プロジェクター１と情報処理装置２は、ＷＰＳのプッシュボタン方式に対応している。
しかしながら、プロジェクターが天井に設置されている場合、プッシュボタンを押下する
ことは困難である。これは、天井設置の場合だけでなく、壁や机等にプロジェクターが埋
め込まれている場合も同様である。
【００１６】
プロジェクター１は、情報処理装置２から接続要求を示す情報を赤外光通信によって受
信することをトリガーとして、ＷＰＳのプッシュボタンを押下したのと同じ無線ＬＡＮ通
信接続プロトコルをスタートさせる。プロジェクター１は、通信部に無線ＬＡＮにより通
信を行わせるための通信設定情報を生成する。プロジェクター１は、生成した通信設定情
報をプロジェクター１が備える無線ＬＡＮ通信制御部に設定する。また、プロジェクター
１は、生成した通信設定情報を無線ＬＡＮ通信により情報処理装置２へ送信し、当該無線
ＬＡＮ通信制御部により情報処理装置２との通信を確立する。プロジェクター１は、接続
要求を示す情報の受信をトリガーとしてプッシュボタンを押下したのと同じ無線ＬＡＮ通
信接続プロトコルをスタートする。これにより、プロジェクター１は、ユーザーによって
操作されることなく通信の設定を簡易化することができる。
【００１７】
また、プロジェクター１は、情報処理装置２との通信が確立した後、情報処理装置２か
ら画像信号を無線ＬＡＮにより受信する。プロジェクター１は、受信した画像信号に基づ
いて投影画像Ｐ１を投影面ＳＣの投影範囲Ｐに投影（表示）する。投影面ＳＣは、この一
例において、専用のスクリーンであるが、これに代えて、壁面やテーブル等の台上、物体
の表面等の他の面であってもよい。投影範囲Ｐは、投影面ＳＣの一部又は全部である。以
下では、説明の便宜上、投影面ＳＣの投影範囲Ｐに投影画像Ｐ１を投影することを、投影
面ＳＣに投影画像Ｐ１を投影すると称して説明する。
【００１８】
情報処理装置２は、例えば、多機能携帯電話端末（スマートフォン）であるが、これに
代えて、ノートＰＣ（Personal  Computer）やデスクトップＰＣ、タブレットＰＣ、携帯
電話端末（フィーチャーフォン）、電子書籍リーダー、ＰＤＡ（Personal  Digital  Ass
istant）であってもよい。情報処理装置２は、例えば、図１に示したようにユーザーＨに
より把持され、情報処理装置２が備えるタッチパネル等を介してユーザーにより行われる
操作を受け付ける。
【００１９】
情報処理装置２は、タッチパネルから受け付けられたユーザーからの操作に基づいて、
赤外光通信によってプロジェクター１に接続要求を示す情報を送信する。情報処理装置２
は、接続要求を示す情報を送信すると同時にＷＰＳプッシュボタン方式の無線ＬＡＮ通信
接続プロトコルを開始し、情報処理装置２が備える通信部が無線ＬＡＮにより通信を行う
ための通信設定情報を受信する。情報処理装置２は、受信した通信設定情報を情報処理装
置２が備える無線ＬＡＮ通信制御部に設定することにより、当該無線ＬＡＮ通信制御部に
よりプロジェクター１との無線ＬＡＮによる通信を確立する。情報処理装置２は、プロジ
ェクター１との無線ＬＡＮによる通信が確立した後、プロジェクター１に画像信号を送信
する。
【００２０】
次に、図２を参照して、プロジェクター１と情報処理装置２の機能構成について説明す
る。図２は、プロジェクター１と情報処理装置２の機能構成の一例を示す図である。
プロジェクター１は、制御部１１と、記憶部１２と、入力受付部１３と、無線ＬＡＮ通
信部１４と、赤外光通信部１６と、画像処理部１７と、投影部１８を備える。
【００２１】
制御部１１は、プロジェクター１の全体を制御する。制御部１１は、無線ＬＡＮ通信設
定情報生成部１１１と、無線ＬＡＮ通信設定制御部１１３と、無線ＬＡＮ通信制御部１１
５と、赤外光通信制御部１１６と、画像取得部１１７を備える。制御部１１が備える機能
部は、例えば、図示しないＣＰＵ（Central  Processing  Unit）が、記憶部１２に記憶
されたプログラムを実行することで実現される。なお、制御部１１が備える機能部の一部
又は全部は、ＦＰＧＡ（Field-Programmable  Gate  Array）を用いて構成されてもよい
。また、制御部１１が備える機能部の一部又は全部は、ＬＳＩ（Large  Scale  Integrat
ion）やＡＳＩＣ（Application  Specific  Integrated  Circuit）等のハードウェア機
能部であってもよい。
【００２２】
無線ＬＡＮ通信設定情報生成部１１１は、赤外光通信部１６を介して情報処理装置２か
ら受信した接続要求を示す情報をトリガーとして、無線ＬＡＮ通信制御部１１５が無線Ｌ
ＡＮ通信部１４に無線ＬＡＮにより通信を行わせるための通信設定情報を生成する。通信
設定情報とは、例えば、少なくともＳＳＩＤ（Service  Set  Identifier）と暗号鍵を含
む情報である。なお、通信設定情報には、他の情報が含まれてもよい。
【００２３】
なお、無線ＬＡＮ通信設定情報生成部１１１は、プロジェクター１に必須ではない。例
えば、プロジェクター１は、無線ＬＡＮ通信設定情報生成部１１１に代えて、無線ＬＡＮ
通信設定情報取得部を備える構成であってもよい。この場合、無線ＬＡＮ通信設定情報取
得部は、赤外光通信部１６を介して情報処理装置２から受信した接続要求を示す情報をト
リガーとして、外部の記憶装置又は記憶部１２に予め記憶された通信設定情報を取得する
。
【００２４】
無線ＬＡＮ通信設定制御部１１３は、無線ＬＡＮ通信設定情報生成部１１１が生成した
通信設定情報に基づいて、当該通信設定情報に含まれるＳＳＩＤと暗号鍵を無線ＬＡＮ通
信制御部１１５に設定する。以下では、説明の便宜上、通信設定情報に含まれるＳＳＩＤ
と暗号鍵を無線ＬＡＮ通信制御部１１５に設定することを、通信設定情報を無線ＬＡＮ通
信制御部１１５に設定すると称して説明する。無線ＬＡＮ通信設定制御部１１３は、通信
設定制御部の一例である。
無線ＬＡＮ通信制御部１１５は、無線ＬＡＮ通信設定制御部１１３により設定された通
信設定情報を用いてＷＰＳプッシュボタン方式の無線ＬＡＮ通信接続プロトコルを開始す
る。無線ＬＡＮ通信制御部１１５は、無線ＬＡＮ通信部１４を制御して、ＷＰＳプッシュ
ボタン方式による無線ＬＡＮ通信接続プロトコルを開始し、情報処理装置２を探索し、無
線ＬＡＮによる通信を確立させる。無線ＬＡＮ通信制御部１１５は、通信制御部の一例で
ある。
【００２５】
赤外光通信制御部１１６は、赤外光通信部１６の通信を制御する。
画像取得部１１７は、無線ＬＡＮ通信部１４を介して情報処理装置２から無線ＬＡＮ経
由で受信した画像信号を取得する。画像取得部１１７は、取得した当該画像信号を画像処
理部１７に出力する。
【００２６】
記憶部１２は、例えば、ＲＡＭ（Random  Access  Memory）やレジスター、あるいは、
ＨＤＤ（Hard  Disk  Drive）やＳＳＤ（Solid  State  Drive）等を含む。記憶部１２は
、プロジェクター１が処理する各種の情報やプログラム等を格納する。この各種の情報や
プログラム等には、ＷＰＳのプッシュボタン方式の無線ＬＡＮ通信接続プロトコルも含ま
れている。
【００２７】
入力受付部１３は、例えば、ユーザーからの指示等を受け付ける各種の操作ボタンや操
作キー、タッチパネル等である。なお、入力受付部１３は、プロジェクター１に備えられ
た（内蔵された）ものに限らず、ユーザーからの入力を受け付ける各種の操作ボタンや操
作キー、タッチパネル等を備えたリモートコントローラー等であってもよい。その場合、
プロジェクター１は、リモートコントローラーから送信された情報を受信する受信部を備
える。なお、リモートコントローラーから送信されるのは赤外光であってもよい。その場
合、当該受信部は、赤外光通信部１６である。
【００２８】
無線ＬＡＮ通信部１４は、無線ＬＡＮの規格により他の装置と無線通信を行う。無線Ｌ
ＡＮ通信部１４は、通信部の一例である。
赤外光通信部１６は、赤外光通信の規格により他の装置と赤外光通信を行う。赤外光通
信部１６は、光通信部の一例である。
画像処理部１７は、画像取得部１１７から取得した画像信号を、ＲＧＢのそれぞれ（Re
d、Green、Blue）毎に、投影部１８が備える図示しない液晶パネルの各画素の階調を表す
画像情報に変換する。そして、画像処理部１７は、変換した画像情報を投影部１８に出力
して投影面ＳＣの投影画像Ｐ１として投影させる。
【００２９】
投影部１８は、図示しない液晶パネルと、図示しない光源と、図示しない投影レンズを
備える。投影部１８は、画像処理部１７から入力される画像情報に応じた駆動電圧を図示
しない液晶パネルの各画素に印加（駆動）する。この印加によって、液晶パネルは、図示
しない光源から液晶パネルへ入射した光を、画像情報に応じた画像を映し出す光として形
成する。投影部１８は、光源が放射した光を液晶パネル側に反射するリフレクターを含み
、反射した光を画像情報に応じた画像を映し出す光として液晶パネルに形成させる。そし
て、投影部１８は、液晶パネルに形成された画像を映し出す光を、図示しない投影レンズ
を通して投影面ＳＣの投影範囲Ｐに投影する。
【００３０】
ここで、光源は、例えば、超高圧水銀ランプやメタルハライドランプ等からなる放電型
の光源ランプであるが、光源ランプに限られず、ＬＥＤ（Light  Emitting  Diode）光源
やレーザー光源等を用いてもよい。液晶パネルは、例えば、一対の透明基板間に液晶が封
入された、光の三原色であるＲＧＢそれぞれに対応した透過型の液晶パネルである。なお
、液晶パネルは、透過型の液晶パネルに限られず、反射型の液晶パネルであってもよい。
また、投影部１８は、液晶パネルを備える構成に代えて、ＤＭＤ（Digital  Mirror  Dev
ice）等を備える構成であってもよい。
【００３１】
情報処理装置２は、制御部２１と、記憶部２２と、入力受付部２３と、無線ＬＡＮ通信
部２４と、表示部２５と、赤外光通信部２６を備える。
制御部２１は、情報処理装置２の全体を制御する。制御部２１は、無線ＬＡＮ通信設定
制御部２１３と、無線ＬＡＮ通信制御部２１５と、赤外光通信制御部２１６と、表示制御
部２１８を備える。制御部２１が備える機能部は、例えば、図示しないＣＰＵ（Central
Processing  Unit）が、記憶部２２に記憶されたプログラムを実行することで実現され
る。なお、記憶部２２には、ＷＰＳプッシュボタン方式の無線ＬＡＮ通信接続プロトコル
の実行に必要な情報及びプログラムが記憶されている。また、制御部２１が備える機能部
の一部又は全部は、ＬＳＩやＡＳＩＣ等のハードウェア機能部であってもよい。
【００３２】
無線ＬＡＮ通信設定制御部２１３は、ＷＰＳプッシュボタン方式の無線ＬＡＮ通信接続
プロトコルに基づいてプロジェクター１から通信設定情報を受信する。受信した通信設定
情報に基づいて、当該通信設定情報に含まれるＳＳＩＤと暗号鍵を無線ＬＡＮ通信制御部
２１５に設定する。
無線ＬＡＮ通信制御部２１５は、無線ＬＡＮ通信設定制御部２１３により設定された通
信設定情報に基づいて情報処理装置２との無線ＬＡＮ通信部２４を介した無線ＬＡＮによ
る通信を確立する。
【００３３】
赤外光通信制御部２１６は、赤外光通信部２６の通信を制御する。
表示制御部２１８は、例えば、プロジェクター１と情報処理装置２の間の無線ＬＡＮに
よる通信を確立させるためのＷＰＳプッシュボタン方式の無線ＬＡＮ通信接続プロトコル
を実行するのに必要な操作をユーザーが行うためのＧＵＩ（Graphical  User  Interface
）を表示部２５に表示させる。
【００３４】
記憶部２２は、例えば、ＲＡＭやレジスター、あるいは、ＨＤＤやＳＳＤ等を含む。記
憶部２２は、情報処理装置２が処理する各種の情報やプログラム等を格納する。
入力受付部２３は、例えば、ユーザーからの指示等を受け付ける各種の操作ボタンや操
作キー、表示部２５と一体に構成されるタッチパネル等である。
無線ＬＡＮ通信部２４は、無線ＬＡＮの規格により他の装置と無線通信を行う。
表示部２５は、例えば、液晶ディスプレイパネル、あるいは、有機ＥＬ（ElectroLumin
escence）ディスプレイパネルである。
赤外光通信部２６は、赤外光通信の規格により他の装置と赤外光通信を行う。
【００３５】
次に、図３を参照して、プロジェクター１と情報処理装置２が無線ＬＡＮによる通信を
確立するまでにプロジェクター１が行う処理の流れについて説明する。図３は、プロジェ
クター１と情報処理装置２が無線ＬＡＮによる通信を確立するまでにプロジェクター１が
行う処理の流れの一例を示すフローチャートである。なお、ステップＳ１００は、この一
例において、プロジェクター１の電源がオンにされた直後に行われる処理として説明する
が、プロジェクター１のメニュー設定により処理がスタートしてもよい。
【００３６】
まず、無線ＬＡＮ通信設定情報生成部１１１は、通信設定情報を生成する（ステップＳ
１００）。なお、無線ＬＡＮ通信設定情報生成部１１１は、この一例において、プロジェ
クター１の電源がオンにされたタイミングで通信設定情報を生成するとして説明するが、
これに代えて、後述するステップＳ１１０において接続要求を示す情報を受信したタイミ
ングで通信設定情報を生成する構成であってもよく、他のタイミングで通信設定情報を生
成する構成であってもよい。
【００３７】
次に、無線ＬＡＮ通信設定制御部１１３は、赤外光通信部１６を介して情報処理装置２
から接続要求を示す情報を受信するまで待機する（ステップＳ１１０）。ステップＳ１１
０において、赤外光通信部１６を介して情報処理装置２から接続要求を示す情報を受信し
たと無線ＬＡＮ通信設定制御部１１３が判定した場合、無線ＬＡＮ通信設定制御部１１３
は、ステップＳ１００において無線ＬＡＮ通信設定情報生成部１１１が生成した通信設定
情報に基づいて、当該通信設定情報に含まれるＳＳＩＤと暗号鍵を無線ＬＡＮ通信制御部
１１５に設定する（ステップＳ１２０）。
【００３８】
次に、無線ＬＡＮ通信制御部１１５は、ステップＳ１１０において無線ＬＡＮ通信設定
制御部１１３により設定された通信設定情報を用いて、通信接続処理を開始する（ステッ
プＳ１３０）。この通信接続処理の開始はすなわち、ＷＰＳプッシュボタン方式の無線Ｌ
ＡＮ通信接続プロトコルを開始することに相当する。そして、無線ＬＡＮ通信制御部１１
５は、同様にＷＰＳプッシュボタン方式の無線ＬＡＮ通信接続プロトコルが開始されてい
る情報処理装置２を探索し、情報処理装置２との無線ＬＡＮ通信部１４を介した無線ＬＡ
Ｎによる通信を確立する。
【００３９】
次に、図４を参照して、プロジェクター１と情報処理装置２が無線ＬＡＮによる通信を
確立するまでに情報処理装置２が行う処理の流れについて説明する。図４は、プロジェク
ター１と情報処理装置２が無線ＬＡＮによる通信を確立するまでに情報処理装置２が行う
処理の流れの一例を示すフローチャートである。なお、図４に示したフローチャートは、
この一例において、情報処理装置２が備える表示部２５に表示制御部２１８が、プロジェ
クター１との無線ＬＡＮによる通信接続を開始するためのＧＵＩを表示させた後の処理と
して説明する。
【００４０】
まず、赤外光通信制御部２１６は、表示部２５に表示されたＧＵＩを介して入力受付部
２３がユーザーから、接続要求を示す情報をプロジェクター１に送信する操作、すなわち
ＷＰＳプッシュボタン方式の無線ＬＡＮ通信接続プロトコルを開始させる操作を受け付け
るまで待機する（ステップＳ２００）。
【００４１】
ステップＳ２００において接続要求を示す情報をプロジェクター１に送信する操作を受
け付けた場合、赤外光通信制御部２１６は、接続要求を示す情報をプロジェクター１へ赤
外光通信部２６により送信させる（ステップＳ２１０）。次に、無線ＬＡＮ通信設定制御
部２１３は、ＷＰＳプッシュボタン方式の無線ＬＡＮ通信接続プロトコルを開始させ、情
報処理装置２と同様にＷＰＳプッシュボタン方式の無線ＬＡＮ通信接続プロトコルが開始
されているプロジェクター１から通信設定情報を受信する。無線ＬＡＮ通信設定制御部２
１３は、受信した通信設定情報を無線ＬＡＮ通信制御部２１５に設定する。そして、無線
ＬＡＮ通信制御部２１５は、無線ＬＡＮ通信設定制御部２１３により設定された通信設定
情報を用いて通信接続処理を開始する。この通信接続処理の開始はすなわち、ＷＰＳプッ
シュボタン方式の無線ＬＡＮ通信接続プロトコルを開始することに相当する。無線ＬＡＮ
通信制御部２１５は、無線ＬＡＮ通信設定制御部２１３により設定された通信設定情報に
基づいてプロジェクター１との無線ＬＡＮ通信部２４を介した無線ＬＡＮによる通信を確
立する。（ステップＳ２２０）。
【００４２】
次に、図５を参照して、プロジェクター１と情報処理装置２が無線ＬＡＮによる通信を
確立するまでにプロジェクター１と情報処理装置２の間で行われる処理の流れについて説
明する。図５は、プロジェクター１と情報処理装置２が無線ＬＡＮによる通信を確立する
までにプロジェクター１と情報処理装置２の間で行われる処理の流れの一例を示すシーケ
ンス図である。なお、以下では、説明の便宜上、プロジェクター１の制御部１１が備える
各機能部が行う処理を、プロジェクター１が行う処理として説明する。また、以下では、
説明の便宜上、情報処理装置２の制御部２１が備える各機能部が行う処理を、情報処理装
置２が行う処理として説明する。
【００４３】
まず、プロジェクター１は、通信設定情報を生成する（ステップＳ３００）。なお、プ
ロジェクター１は、この一例において、プロジェクター１の電源がオンにされたタイミン
グで通信設定情報を生成するとして説明するが、これに代えて、後述するステップＳ３２
０において接続要求を示す情報を受信したタイミングで通信設定情報を生成する構成であ
ってもよく、他のタイミングで通信設定情報を生成する構成であってもよい。
【００４４】
ステップＳ３００においてプロジェクター１が通信設定情報を生成した後、情報処理装
置２は、表示部２５に表示されたＧＵＩを介してユーザーから、接続要求を示す情報をプ
ロジェクター１に送信する操作、すなわちＷＰＳプッシュボタン方式の無線ＬＡＮ通信接
続プロトコルを開始させる操作を受け付ける（ステップＳ３１０）。
【００４５】
ステップＳ３１０において接続要求を示す情報をプロジェクター１に送信する操作を受
け付けた場合、情報処理装置２は、赤外光通信により接続要求を示す情報をプロジェクタ
ー１へ送信する。そして、プロジェクター１は、赤外光通信により接続要求を示す情報を
情報処理装置２から受信する（ステップＳ３２０）。次に、プロジェクター１は、ステッ
プＳ３２０における接続要求を示す情報の受信をトリガーとして、ステップＳ３００にお
いて生成した通信設定情報に基づいて、当該通信設定情報に含まれるＳＳＩＤと暗号鍵を
無線ＬＡＮ通信制御部１１５に設定する（ステップＳ３３０）。
【００４６】
次に、プロジェクター１と情報処理装置２は、ステップＳ３００において生成した通信
設定情報を用いて、ＷＰＳプッシュボタン方式の無線ＬＡＮ通信接続プロトコルに基づい
てプロジェクター１と情報処理装置２との間の無線ＬＡＮによる通信を確立する（ステッ
プＳ３４０）。
【００４７】
なお、上記の実施形態では、プロジェクター１と情報処理装置２の間における無線ＬＡ
Ｎによる通信を、赤外光通信を利用して確立する態様について説明したが、プロジェクタ
ー１以外の表示装置（表示部）Ｘと情報処理装置２の間における無線ＬＡＮによる通信を
赤外光通信を利用して確立する態様であってもよい。プロジェクター１以外の表示装置Ｘ
としては、リアプロジェクション（背面投射）型のプロジェクター、液晶ディスプレイ、
有機ＥＬ（Electro  Luminescence）ディスプレイ、プラズマディスプレイ、ＣＲＴ（陰
極線管）ディスプレイ、ＳＥＤ（Surface-conduction  Electron-emitter  Display）等
を用いることができる。
【００４８】
以上説明したように、本実施形態に係るプロジェクター１（又は表示装置Ｘ）は、情報
処理装置２から画像信号を無線ＬＡＮ通信部１４を介した無線ＬＡＮ通信により受信し、
無線ＬＡＮ通信部１４による無線ＬＡＮ通信を無線ＬＡＮ通信制御部１５により制御し、
無線ＬＡＮ通信部１４が受信した画像信号に基づいて画像を投影（表示）し、接続要求を
含む情報を赤外光通信によって情報処理装置２から赤外光通信を行う赤外光通信部１６に
より受信し、無線ＬＡＮ通信制御部１１５が無線ＬＡＮ通信部１４に通信を行わせるため
の通信設定情報を、赤外光通信部１６による接続要求を含む情報の受信をトリガーとして
無線ＬＡＮ通信制御部１１５に設定する。これにより、ユーザーはプロジェクター１又は
表示装置Ｘを操作することなく、無線通信を簡便に確立することができる。
【００４９】
また、情報処理装置２が赤外光通信部２６によりプロジェクター１に送信する情報は、
接続要求を示す情報のみならず、例えば、情報処理装置２を特定する情報等を含んでいて
もよい。これにより、プロジェクター１は、情報処理装置２から赤外光通信部１６により
受信した接続要求を含む情報により無線ＬＡＮ通信部１４による通信を確立することがで
きる。
【００５０】
また、プロジェクター１は、無線ＬＡＮ通信設定情報生成部１１１が生成した通信設定
情報を無線ＬＡＮ通信制御部１１５に設定する。これにより、プロジェクター１は、意図
しない通信設定情報が無線ＬＡＮ通信制御部１１５に設定されてしまうことを抑制するこ
とができ、更に接続する度に通信設定情報を変更することができるため、セキュリティー
を向上させることができる。
【００５１】
なお、本実施形態では、通信設定情報をプロジェクター１が生成するとしたが、情報処
理装置２が生成し、生成した通信設定情報をプロジェクター１に送信する構成にしてもよ
い。
【００５２】
なお、以上に説明したプロジェクター１（又は表示装置Ｘ）における任意の構成部の機
能を実現するためのプログラムを、コンピューター読み取り可能な記録媒体に記録し、そ
のプログラムをコンピューターシステムに読み込ませて実行するようにしてもよい。なお
、ここでいう「コンピューターシステム」とは、ＯＳ（Operating  System）や周辺機器
等のハードウェアを含むものとする。また、「コンピューター読み取り可能な記録媒体」
とは、フレキシブルディスク、光磁気ディスク、ＲＯＭ、ＣＤ（Compact  Disk）−ＲＯ
Ｍ等の可搬媒体、コンピューターシステムに内蔵されるハードディスク等の記憶装置のこ
とをいう。さらに「コンピューター読み取り可能な記録媒体」とは、インターネット等の
ネットワークや電話回線等の通信回線を介してプログラムが送信された場合のサーバーや
クライアントとなるコンピューターシステム内部の揮発性メモリー（ＲＡＭ）のように、
一定時間プログラムを保持しているものも含むものとする。
【００５３】
また、上記のプログラムは、このプログラムを記憶装置等に格納したコンピューターシ
ステムから、伝送媒体を介して、あるいは、伝送媒体中の伝送波により他のコンピュータ
ーシステムに伝送されてもよい。ここで、プログラムを伝送する「伝送媒体」は、インタ
ーネット等のネットワーク（通信網）や電話回線等の通信回線（通信線）のように情報を
伝送する機能を有する媒体のことをいう。
また、上記のプログラムは、前述した機能の一部を実現するためのものであってもよい
。さらに、上記のプログラムは、前述した機能をコンピューターシステムにすでに記録さ
れているプログラムとの組み合わせで実現できるもの、いわゆる差分ファイル（差分プロ
グラム）であってもよい。
【符号の説明】
【００５４】
１  プロジェクター、２  情報処理装置、１１、２１  制御部、１２、２２  記憶部、１
３、２３  入力受付部、１４、２４  無線ＬＡＮ通信部、１６、２６  赤外光通信部、１
７  画像処理部、１８  投影部、２５  表示部、１１１  無線ＬＡＮ通信設定情報生成部
、１１３、２１３  無線ＬＡＮ通信設定制御部、１１５、２１５  無線ＬＡＮ通信制御部
、１１６、２１６  赤外光通信制御部、１１７  画像取得部、２１８  表示制御部
【図１】
2016126259.tif 000003
【図２】
2016126259.tif 000004
【図３】
2016126259.tif 000005
【図４】
2016126259.tif 000006
【図５】
2016126259.tif 000007